(57)【要約】【課題】基板ケースの点検において、何れの封止手段により封止されているかを容易かつ確実に判断することができ、点検の作業効率を向上することができる基板ケースの封止構造を提供する。【解決手段】電気電子部品が実装される制御基板７が装着されるケース本体２と、該ケース本体２に被着されるケース蓋体３とにより構成される基板ケース１を備えた遊技機において、該基板ケース１のケース本体２とケース蓋体３とを一体的に封止する封止ユニット１０ａが設けられると共に、該封止ユニット１０ａには封止ピン３２の係合によりケース本体２とケース蓋体３とが一体的に封止されたときに表示形態が変わる表示手段を備える。【選択図】  図５
2004275418.tif 000002
【特許請求の範囲】
【請求項１】
電気電子部品が実装される制御基板が装着されるケース本体と、該ケース本体に被着されるケース蓋体とにより構成される基板ケースを備えた遊技機において、該基板ケースのケース本体とケース蓋体とを一体的に封止する封止ユニットが設けられると共に、該封止ユニットには封止部材の係合によりケース本体とケース蓋体とが一体的に封止されたときに表示形態が変わる表示手段を備えることを特徴とする遊技機。
【請求項２】
前記基板ケースを遊技機本体に取り付けるに際し、該基板ケースと遊技機本体との係合部に係合部材の装着により表示形態が変わる別異の表示手段を備えることを特徴とする請求項１に記載の遊技機。
【請求項３】
前記表示手段は、機械的に表示態様を切り替えるものであることを特徴とする請求項１又は２に記載の遊技機。
【請求項４】
前記表示手段は、電気的に表示態様を切り替えるものであることを特徴とする請求項１又は２に記載の遊技機。
【請求項５】
前記表示手段は、前記封止手段の封止する動作に連動して表示態様が切り替わるものであることを特徴とする請求項１から４のいずれかに記載の遊技機。
【請求項６】
電子部品が実装される制御基板が収納される基板ケースを遊技機本体に取り付けるに際し、該基板ケースと遊技機本体との係合部材の装着により表示形態が変わる表示手段を備えることを特徴とする遊技機。
【発明の詳細な説明】
【０００１】
【発明の属する技術分野】
本発明は遊技機に関し、さらに詳しくは、パチンコ機やスロットマシンなどの遊技機において遊技状態などを制御する制御基板が収納される基板ケースの封止構造に関するものである。
【０００２】
【従来の技術】
パチンコ遊技機、アレンジボール機、スロットマシンなどの遊技機は、一般的に電子部品が実装された制御回路により構成された制御基板を備え、遊技機の遊技状態などはこの制御基板により制御される。そしてこの制御基板に対する不正行為を防止するために、制御基板が収納される基板ケースの開封を困難とし、あるいは基板ケースの不正な開封がされた場合には発見が容易となるような封止構造とすることなどの対策がとられている。
【０００３】
例えば基板ケースの開封が困難でかつ不正な開封の発見が容易な封止構造としては、制御基板を収納する本体ケースと、この本体ケースと着脱自在に覆うカバーケースとを着脱不能に封止する封止部にその制御基板の情報を外部へ通信可能な情報通信機器を備え、その封止部の切断により情報通信機器が破壊され、情報通信されなくなることにより不正な開封を阻止しようとするものが既に提案されている（特許文献１参照）。
【０００４】
しかしながら、このような構造を有する基板ケースにおいては、封止部の外観上の相違は損壊部が切断されているか否かのみであるため、検査などにおいていずれの封止部を封止したかが分かりにくく、点検等において不便であるという問題点があった。また、封止ピンを押し込んで封止する場合、封止ピンが封止部の係合部に確実に係合して封止しているか否かの判断は外部からの観察では困難であり、作業者の感覚に頼らざるを得ないという問題があった。
【０００５】
【特許文献１】
特開２００２−８５７６８号公報
【０００６】
【発明が解決しようとする課題】
本発明が解決しようとする課題は、遊技機の遊技状態などを制御する制御基板が収納される基板ケースの点検において、封止ユニットの何れの封止部材により封止されているかを容易かつ確実に判断することができ、点検の作業効率を向上することができる基板ケースの封止構造を提供することである。
【０００７】
【課題を解決するための手段】
前記課題を解決するため、請求項１に記載の発明は、電気電子部品が実装される制御基板が装着されるケース本体と、該ケース本体に被着されるケース蓋体とにより構成される基板ケースを備えた遊技機において、該基板ケースのケース本体とケース蓋体とを一体的に封止する封止ユニットが設けられると共に、該封止ユニットには封止部材の係合によりケース本体とケース蓋体とが一体的に封止されたときに表示形態が変わる表示手段を備えることを要旨とするものである。
【０００８】
かかる構成によれば、電気電子部品が実装される制御基板が装着された基板ケースのケース本体とケース蓋体とが、封止ユニットに封止部材が係合されて一体的に封止されたときに、その封止ユニットの表示形態が変わる。そのためその表示形態から封止状態の確認が容易かつ確実に行われ、遊技機の点検作業の効率を上げることができ、また、不正行為が行われたときにもその表示形態の変化によりその発見が容易となる。
【０００９】
また、その場合請求項２に係る発明のように、前記基板ケースを遊技機本体に取り付けるに際し、該基板ケースと遊技機本体との係合部に係合部材の装着により表示形態が変わる別異の表示手段を備えることが望ましい。かかる構成によれば、基板ケースがそっくり遊技機本体から取り外されたときにも、その不正が表示形態の変化により容易に発見できる。
【００１０】
また、請求項３に係る発明のように、前記表示手段は、機械的に表示態様を切り替えるものであることや、請求項４に係る発明のように、電気的に表示態様を切り替えるものであるとよい。
【００１１】
この場合において、請求項５に係る発明のように、前記表示手段は、前記封止手段の封止する動作に連動して表示態様が切り替わるものであることが望ましい。かかる構成によれば、表示態様を切り替えなければ封止できないものであるか、封止をしてからでないと表示態様を切り替えることができないものであるかなど、封止動作に連動して自動的に表示態様が切り替わるものであるため、封止作業時において確実に封止及び表示態様の切替をすることができる。また、実際の封止状態と表示態様に食い違いが生じなくなる。
【００１２】
本発明は主に制御基板が収納される基板ケースのケース本体とケース蓋体との封止ユニットの構造についてのものであるが、それにとらわれず、基板ケースがケース本体とケース蓋体とにより構成されていようがいまいが、この基板ケースを遊技機本体の取り付けた構造にもそっくり適用できるもので、請求項６に係る発明は、電子部品が実装される制御基板が収納される基板ケースを遊技機本体に取り付けるに際し、該基板ケースと遊技機本体との係合部材の装着により表示形態が変わる表示手段を備えることを要旨とするものである。これにより、請求項２に係る発明と同じように、基板ケースがそっくり遊技機本体から取り外されたときにも、その不正が表示形態の変化により容易に発見できる。
【００１３】
【発明の実施の形態】
以下に本発明に係る遊技機の一実施の形態及び各種の実施例を図面を参照して詳細に説明する。
【００１４】
パチンコ機の裏側には、遊技球が通過する遊技球経路、遊技盤面に設けられる各種装置の動力部分や、これら各種装置を制御するための各種制御基板、そして各種制御基板を設定・制御する主制御基板などが配設される。図１は遊技機の本体裏面に主制御基板が配設される状態を示した外観斜視図である。主制御基板は基板ケース１内に収納され、図に示されるように遊技機２００の裏面に配設される取付部材２０１と係合して遊技機２００に取り付けられる。
【００１５】
図２は、第１の実施例における遊技機２００の本体裏面に配設される基板ケースの分解斜視図、図３はその結合斜視図である。図２に示されるように、基板ケース１は制御基板７を載置・固定するケース本体２と、該ケース本体２に装着されるケース蓋体３とからなり、ケース本体２に形成される係合凹部４及びケース蓋体３に形成される係合片５とからなる係合手段６により着脱自在に係合でき、ケース本体２に制御基板７を載置・固定した後は、ケース本体２に形成される第１封止構造物８ａとケース蓋体３に配設される第２封止構造物９ａからなる封止ユニット１０ａにより分離不可能に封止される。また、ケース本体２とケース蓋体３は一般的に内部が視認可能なように透明な合成樹脂などの材料から形成される。
【００１６】
制御基板７は、基板部材１１上に電子回路を構成する電子部品１２、１２、・・・等が実装されてなるものであり、図では長方形の基板部材１１が用いられる例を示す。基板部材１１の互いに隣接する１の長辺及び短辺の近傍には、他の制御基板（図示せず）や遊技盤に配設される機器（図示せず）と接続するための接続コネクタ１３、１３、・・・が実装される。
【００１７】
ケース本体２は、制御基板７を載置・固定可能な底板１４と該底板１４の外縁から立設される下部側壁１６、上部側壁１７から構成され、一側が開口した底の浅い箱形状に形成される。下部側壁１６は底板１４の外周の全周に亘り立設され、その所定の箇所には取付部材２０１と係合するための係合部材（図示せず）が形成される。下部側壁１６が形成される側が遊技機２００へ取り付けられる側である。上部側壁１７は互いに隣接する１の長辺及び短辺にのみ立設され、他の長辺及び短辺には形成されない構成を有する。上部側壁１７が立設される側が上面であり、上部側壁１７の各辺の内側面には、第１封止構造物８ａがそれぞれ形成される。そして、制御基板７は、接続コネクタ１３、１３、・・が実装される各辺が上部側壁１７が立設されない各辺に一致するように載置され、ネジなどにより固定される。また、上部側壁１７が形成されない短辺には係合凹部４が形成される。この他、底板１４の外側の面には、外部からのノイズを遮断して制御回路の誤作動を防止するための板状の導体（図示せず）が着脱自在に固定される。
【００１８】
ケース蓋体３は、ケース本体２に制御基板７を載置・固定後にケース本体２に装着される部材であり、ケース本体２の上部を覆う天板１９と、該天板１９の外縁から立設される側壁２０とから構成され、一側が開放した底の浅い略箱形状を有する。そしてケース本体２の係合凹部４が形成される短辺に対応する短辺にはケース本体２の係合凹部４と係合する係合片５が形成され、上部側壁１７が形成される短辺及び長辺と対応する辺の側壁２０近傍には、天板１９から側壁２０の立設される向きと同じ向きに板状の嵌合リブ２１が形成され、側壁２０近傍には第２封止構造物９ａが配設される。この嵌合リブ２１は図においては側壁２０より低く形成されているが、側壁２０と略同一の高さに形成されるものであっても良い。
【００１９】
一方、ケース本体２の上部側壁１７が形成されない２辺に対応するケース蓋体３の側壁２０の近傍は、段差面２２が形成されており、ケース本体２とケース蓋体３とを係合した際に、天板１９の段差面２２の内面が制御基板７の上面に当接し、段差面２２に形成されるコネクタ露出孔２３から制御基板７上の接続コネクタ１３が露出するよう構成される。このように構造することにより、制御基板７を基板ケース１に収納した後において配線作業を行うことができる。この他、天板１９の外面には、検査履歴を記入する記録用紙等を貼付する記録用紙貼付部２４を有する。また、制御基板７から発生した熱を基板ケース１の外部に放出して制御基板７の過熱による誤作動を防止するための通気孔２５、２５、・・・が複数適宜形成される。
【００２０】
なお、ケース本体２の上部側壁１７及びケース蓋体３の側壁２０の高さ、ケース蓋体３の天板１９の形状、第１封止構造物８ａ及び第２封止構造物９ａの位置は、ケース本体２とケース蓋体３とが係合された状態でケース蓋体３と制御基板７とが空間的に干渉しないように定められる。また、基板ケース１の形状・寸法は、載置される制御基板７の基板部材１１の形状及び実装される電子部品１２等の位置、形状により定まるものであり、図に示すように長方形に限られるものではなく、また、係合手段６が形成されるのは短辺に限られず、封止ユニット１０ａが形成されるのも、互いに隣接する１の短辺及び長辺に限られるものではない。
【００２１】
次いで、係合手段６について説明すると、ケース本体２に形成される係合凹部４は、一側が開口した略直方体の箱状に形成され、その開口側がケース本体２の内側を向くように開口側の端面をケース本体２の底板１４の外縁に取り付けた構造を有し、ケース本体２と一体に形成される。一方、ケース蓋体３に形成される係合片５は、ケース本体２の係合凹部４が形成される辺に対応する短辺に形成されるものであり、当該側壁２０の先端から外側へ向けて側壁２０と直角に一条の係合片５が立設される構造を有する。
【００２２】
かかる構成を有するケース本体２とケース蓋体３を係合するには、まずケース蓋体３に形成される係合片５を、ケース本体２の係合凹部４にケース本体２の制御基板７が載置される側（図においては上側）から差し込むように挿入し、次いで係合凹部４を支点として回転させてケース本体２に覆い被せる。これにより、ケース蓋体３の側壁２０がケース本体２の上部側壁１７を外側から覆い、ケース本体２の上部側壁１７の先端部近傍はケース蓋体３の側壁２０と嵌合リブ２１と間に形成される嵌合溝２６に嵌合する。このためケース本体２とケース蓋体３とが確実に係合すると共にケース本体２とケース蓋体３の側壁１７、２０の隙間から異物を挿入して内部に収納された制御基板７に対し不正な行為を施すことが極めて困難となる。
【００２３】
図４は第１の実施例における封止ユニットを示した一部切断された分解斜視図であり、図５は（ａ）が表示部材の拡大斜視図、（ｂ）が図４の一部切断された結合斜視図である。封止ユニット１０ａは、ケース本体２に配設される第１封止構造物８ａと、ケース蓋体３に配設される第２封止構造物９ａとからなり、第１封止構造物８ａと第２封止構造物９ａとが１組で封止ユニット１０ａとして機能する。第１封止構造物８ａはケース本体２の各上部側壁１７の内側に形成され、第２封止構造物９ａはケース蓋体３の側壁２０のうち、ケース本体２の上部側壁１７に接合する２辺の側壁２０の近傍の天板１９にそれぞれ形成される。そして１組の封止ユニット１０ａは最大４回の封止及び開封が可能に構成される。本明細書では、封止ユニット１０ａに形成・配設等される部材、構造物等のうち、一回の封止に用いられるものを総称して封止手段と記す。すなわち１組の封止ユニット１０ａは４個の封止手段を備える。
【００２４】
ケース蓋体３の第２封止構造物９ａは遊嵌枠部３１を備える。該遊嵌枠部３１はケース蓋体３の天板１９の側壁２０の近傍の所定箇所に立設された板状の立壁３４により囲まれる略方形の領域であり、側壁２０及び嵌合リブ２１に平行して４箇所が直列に形成される構造を有する。各遊嵌枠部３１を形成する立壁３４のうち、側壁２０側と反対側の立壁３４には、中央付近にスリット状の切り欠きである封止ピン収納部材係合溝３５が形成される。また、各遊嵌枠部３１の底面３６（すなわち天板１９）の中央付近には、底面３６を貫通する封止ピン押下孔３７が形成される。該封止ピン押下孔３７は底面３６の内部から外部へ向かってその径が拡大する不均一な径を有する貫通孔であり、いわゆる漏斗状の断面形状を有する。また、遊嵌枠部３１のケース蓋体３の内側寄りには、遊嵌枠部３１に沿って細長い貫通孔である開封開口部３８が形成される。そして該開封開口部３８及び遊嵌枠部３１を取り囲むように封止ピン保持部材接合凸部３９が５箇所に形成される。
【００２５】
この他、天板１９の外側表面の各封止ピン押下孔３７近傍には、それぞれ各封止ピン押下孔３７に対応して「１」〜「４」までの数字４０が陽刻され、各遊嵌枠部３１とケース蓋体３の側壁２０との間には、天板１９を貫通する表示孔４１と、表示部材４２ａを装着するための表示部材係合凸部４３が形成される。
【００２６】
封止ピン３２は、ケース本体２とケース蓋体３とを分離不可能に結合して封止する部材であり、係合鍔部５０と、該係合鍔部５０から延設される押下軸部５１と、該押下軸部５１とは反対側へ同軸に延設される係合軸部５２と、該係合軸部５２の先端に形成される係合頭部５３とから構成され、適当な弾性を有する合成樹脂などにより一体に形成される。係合鍔部５０は封止ピン保持部材３３の封止ピン収納枠体５５に収納される部位であり、略直方体形状に形成される。押下軸部５１は円柱形状で、その外径は封止ピン押下孔３７の天板１９の内側の内径（すなわち小さい側の内径）より僅かに小さく、封止ピン押下孔３７に挿通可能に形成される。また押下軸部５１の先端端面にはその中央に窪み５４が形成される。係合軸部５２は断面が略長方形の角柱で、長辺は係合鍔部５０の一側辺と略同一の長さに、短辺はそれより短く形成される。係合頭部５３は先端側が細く、付け根側（係合鍔部５０側）が太い略三角形状の断面を有する。係合頭部５３の付け根の幅寸法は係合軸部５２の短辺より大きく、係合頭部５３の付け根と係合軸部５２とに段差が形成される。
【００２７】
封止ピン保持部材３３は、封止ピン収納枠体５５と、接合部５６と、封止ピン収納枠体５５及び接合部５６とを連結する連結部５７とからなり一体に形成される。接合部５６は略「コ」の字形状の板に形成され、ケース蓋体３の天板１９に封止ピン保持部材接合凸部３９を介して接合される。このため接合部５６には前記封止ピン保持部材接合凸部３９と係合可能な封止ピン保持部材係合孔６１が前記封止ピン保持部材接合凸部３９の数及び位置に対応して形成される。また、「コ」の字の内周縁からは板状の衝立部５８が立設される。封止ピン収納枠体５５は略方形の枠状に形成され、該封止ピン収納枠体５５の底面の中央には封止ピン３２の係合頭部５３が挿通可能な略方形の貫通孔である係合頭部挿通孔６２が形成される。また封止ピン収納枠体５５の側面のうち、連結部５７と連結する面に隣接する両側面内部には、側面の高さ方向の中心付近に内側へ向かって一対の係合鍔部係止突起６３が形成される。この一対の係合鍔部係止突起６３の先端の間隔は、封止ピン３２の係合鍔部５０の一側辺の長さより僅かに短く形成される。また、連結部５７は、断面形状が略方形である角柱状の部材であり、封止ピン収納枠体５５の開口側と同じ側の一側面には、切断しその後再び接合した場合に、その接合の痕跡が残り切断・再接合されたものであることが容易に判別できるよう、長手方向に凸条６４が形成される。なお、衝立部５８と封止ピン収納枠体５５の上下方向寸法は略同一に形成される。
【００２８】
封止ピン収納枠体５５に封止ピン３２を収納すると封止ピン３２の係合鍔部５０は係合鍔部係止突起６３に係止され、封止ピン３２の係合頭部５３の先端が封止ピン収納枠体５５の底面に形成される係合頭部挿通孔６２から突出した状態で封止ピン収納枠体５５内に浮いた状態に保持される。
【００２９】
そして封止ピン３２を封止ピン収納枠体５５に収納した状態で接合部５６を天板１９に接合する。接合操作は、天板１９に形成される封止ピン保持部材係合凸部６０と接合部５６に形成される封止ピン保持部材係合孔６１とを係合させて位置決め・仮固定し、その後封止ピン保持部材係合凸部６０の先端を熱源又は高周波電流等で軟化させて封止ピン保持部材係合孔６１周辺に覆いかぶせるように押し広げ、その後硬化させるという手順で行う。この際、封止ピン保持部材３３の連結部５７が遊嵌枠部３１の封止ピン収納部材係合溝３５に係合する。これにより封止ピン保持部材３３はケース蓋体３の天板１９から離脱不可能に接合される。なお、封止ピン保持部材３３と天板１９との接合は前記樹脂の可塑性を利用する方法に限られるものではなく、封止ピン保持部材３３と天板１９とが物理的に離脱が困難となる方法であればよい。例えば一般的な接着剤を用いる方法でも良く、前記樹脂の可塑性を利用する方法と接着剤を利用する方法を併用する方法でも良い。
【００３０】
封止ピン保持部材３３が天板１９に接合されると、封止ピン３２の押下軸部５１が封止ピン押下孔３７から突出し、封止ピン３２の係合鍔部５０が係合鍔部係止突起６３と天板１９との間に挟持され、封止ピン３２は軸線方向の移動が規制される。なお、接合部５６は天板１９に分離不可能に結合しており、これにより封止ピン収納枠体５５は遊嵌枠部３１から抜脱不可能であるが、封止ピン収納枠体５５は遊嵌枠部３１に遊挿されるのみで封止ピン収納枠体５５それ自体と遊嵌枠部３１それ自体とが分離不可能に結合されるものではない。
【００３１】
表示部材４２ａは薄板状の部材であり、弾発性を有する合成樹脂などから一体に形成される。その中央付近には前記天板１９に形成される表示部材係合凸部４３と係合する係合孔４４が形成され、一端には封止状態を示す表示領域４７ａが形成される。表示領域４７ａはその表面がケース蓋体３と異なる着色が施された領域である。そして表示領域４７ａが形成されない側（こちら側を操作側と記す）を嵌合リブ２１に形成される表示部材挿通孔４５及び側壁２０に形成される表示部材操作孔４６に挿通した状態で弾性を利用して表示部材係合凸部４３と係合孔４４を係合させて装着する。
【００３２】
この状態においては、表示部材４２ａは係合孔４４を支点として揺動可能であり、表示部材４２ａの操作側の側面が側壁２０の表示部材操作孔４６の内壁面の一端（図５において向かって右側の内壁面）に当接する位置にあると表示領域４７ａが表示孔４１から外れた位置（この位置を未封止位置と記す）にあり、表示部材操作孔４６の他の内壁面（図では左側の内壁面）に当接する位置にスライドさせると表示領域４７ａは表示孔４１の直下に位置（この位置を封止位置と記す）するよう構成される。
【００３３】
このような構成によると、表示部材４２ａの表示領域４７ａはケース蓋体３の色彩と異なる着色が施されていることから、表示領域４７ａが封止位置あるいは未封止位置の何れにあるかが表示孔４１を通じて一見して判断可能となる。なお、よりはっきりと判断するためには、表示領域４７ａは赤色などに着色され、表示領域４７ａ以外の表面はケース蓋体３と同色系の着色が施されてなるか、黒色、褐色などの暗色系の着色が施されてなり、天板１９の表示孔４１の近傍は不透明に着色等されることが望ましい。
【００３４】
ケース本体２に配設される第１封止構造物８ａは、上部側壁１７の各辺の所定の箇所に立設される封止板７０ａを備える。封止板７０ａはケース本体２の上部側壁１７から内側に向かって底板１４及び制御基板７と略平行に延設される部材であり、ケース本体２の上部側壁１７と一体に形成される。なお、封止板７０ａは制御基板７及び底板１４の一部を覆うため、底板１４の上面から封止板７０ａの下面の間は、制御基板７の基板部材１１に実装される電子部品１２等と干渉しないだけの隙間が形成される。
【００３５】
封止板７０ａには、封止ピン３２の係合頭部５３が挿通可能な細長い形状の貫通孔である第１スリット７１と、該第１スリット７１の両側に平行して細長い形状の第２スリット７２、７２が形成される構成であり、換言すれば、封止板７０ａに形成される開口部に細長い板状部材である弾性係合部材７３、７３が２本、並列して架設される構成である。なお、第１スリット７１及び第２スリット７２、７２の３本のスリットが１組で１回の封止に用いられるものであり、各スリット７１、７２、７２の組の両側下面（底板と対向する面）には補強リブ７４（図示せず。図７参照）が一体に形成される。
【００３６】
弾性係合部材７３の間に形成される第１スリット７１の開口幅は封止ピン３２の係合軸部５２の短辺側の寸法より僅かに小さく形成される。そして弾性係合部材７３の対向する辺の中央近傍には、上面（ケース蓋体と対向する側）に向かって開口部の寸法が拡大するように傾斜面７５が形成される。
【００３７】
ケース蓋体３に封止ピン保持部材３３を接合し、ケース本体２に係合すると、封止ピン収納枠体５５の底面と封止板７０ａの上面とが当接すると共に、封止ピン収納枠体５５の底面から突出する封止ピン３２の係合頭部５３が弾性係合部材７３に形成される傾斜面７５に当接して収納される。また衝立部５８の先端が封止板７０ａに当接して凸条７６と係合し、開封開口部３８は該衝立部５８と遊嵌枠部３１を形成する立壁３４と封止板７０ａにより塞がれ、該開封開口部３８から基板ケース１内に収納された制御基板７に不正行為を行うことはできなくなる。
【００３８】
このような構成を有する封止ユニット１０ａを用いてケース本体２とケース蓋体３との係合を封止する手順及び機構は以下の通りである。まず封止に用いる封止ピン３２の押下軸部５１の先端をドライバーなどの工具により基板ケース１内部へ向けて押下する。押下軸部５１の端面には凹状の窪み５４が形成されており、押下の際にドライバー等の工具が押下軸部５１の端面から外れることはないため押下軸部５１やケース蓋体３を破損等することがない。
【００３９】
封止ピン３２を押下すると、係合鍔部５０が封止ピン収納枠体５５の内壁面に突設される係合鍔部係止突起６３の間隔を弾性変形させて押し広げると共に、係合頭部５３が第１スリット７１の間隔を弾性変形により押し広げる。そして係合鍔部５０が係合鍔部係止突起６３を通過すると係合鍔部係止突起６３の間隔は元に戻る。このため係合鍔部５０は押下前の位置に戻ることはできなくなる。また、係合頭部５３が第１スリット７１を通過すると弾性係合部材７３は元の形状に戻ろうとするが、第１スリット７１の間隔は係合軸部５２の幅より僅かに小さいため完全に元の形状に戻ることはできず、係合軸部５２を狭持する。そして弾性係合部材７３の下面には上面のような傾斜は設けられておらず、かつ、封止ピン３２の係合頭部５３の付け根も軸部と略直角に形成されていることから、係合頭部５３は第１スリット７１から抜脱不可能に固定される。このような構成により、ネジ等その他別個独立の部品等を用いることなく基板ケース１を確実に封止できる。
【００４０】
その後表示部材４２ａを封止位置にスライドさせる。これにより表示部材４２ａの表示領域４７ａが表示孔４１の直下に位置して表示領域４７ａの色彩が現れ、表示孔４１は封止手段が封止に用いられたものであることを表示する。このような構成によれば、現在いずれの封止手段を用いて封止されているかが容易に判別することが可能となり、基板ケース１の点検作業時における作業効率を向上することができる。
【００４１】
制御基板７の検査等のためにケース本体２とケース蓋体３の封止を解除するには、開封開口部３８からニッパー等の切断工具を挿入し、露出している連結部５７のうち、封止に用いられているものを切断する。封止ピン収納枠体５５自体は遊嵌枠部３１に遊嵌されているのみであるから、連結部５７を切断して接合部５６との連結を絶つと天板１９（ケース蓋体３）から切り離される。ケース本体２とケース蓋体３の係合を解除して分離するのは、係合と逆の手順で行われる。すなわち、ケース本体２とケース蓋体３の係合手段を備える側の辺を支点とし、ケース蓋体３の反対側の辺から起き上がらせるように持ち上げる。ケース本体２とケース蓋体３が大きく開くとケース蓋体３に形成される係合片５がケース本体２に形成される係合凹部４から抜脱可能となり、係合が解除される。これによりケース本体２とケース蓋体３が分離され、ケース本体２の内部に載置固定されていた制御基板７を取り外し点検等することができる。
【００４２】
検査等の後、再びケース本体２とケース蓋体３とを封止するための手順は、製造時における封止の手順と同一である。ただし、封止ピン３２は抜脱不可能で切断された連結部５７の再生は不可能なため、未使用の封止手段を用いて封止する。例えば検査のために「１」の番号４０が付された連結部５７を切断したのであれば、次は「２」の番号４０が付された封止ピン３２を押下して封止する。そして再封止した後に、ケース蓋体３の記録用紙貼付部２４に貼付される記録用紙に検査結果、日時、切断した連結部の番号等を記入する。そして開封を伴わない点検時などにおいて、記入された検査結果と封止されている封止ピン３２とに相違がないかを確認する。
【００４３】
本実施例における４個の封止手段を備える構成は、「１」の番号が付された封止手段を製造又は遊技場に設置する際の最初の封止に、「２」、「３」の番号が付された封止手段を遊技場に設置後の制御基板の検査に、「４」の番号が付された封止手段を制御基板７を基板ケース１から取り外す際に、それぞれ使用することを想定しており、検査は２回行うことができる。この場合、「１」の番号が付された最初の封止に用いる封止手段の封止ピン３２を、他の封止ピン３２と異なる着色を施しておくと、封止操作におけるミスを予防することができる。
【００４４】
次いで本発明の第２の実施例について説明する。図６（ａ）は、第２の実施例における表示部材４２ｂの拡大斜視図、（ｂ）は封止ユニット１０ｂの結合斜視図、図７はその結合断面図であり、（ａ）は封止前の状態を、（ｂ）は封止後の状態を示す。第２の実施例と第１の実施例とは表示部材４２ｂに関する構造が異なるのみであり、それ以外の部分についてはほぼ同一の構造を有するため、同一の構成を有する部分については同一の符号を付して用い説明は省略する。また、同一の構造物が複数ある場合にはそのうちの１のみ代表として符号を付す。
【００４５】
ケース蓋体３に形成される遊嵌枠部３１は、第１の実施例とほぼ同一の構造を有する。ただし、第２の実施例においては、ケース蓋体３の側壁２０に形成される表示部材操作孔４６、嵌合リブ２１に形成される表示部材挿通孔４５に加え、遊嵌枠部３１を構成する立壁３４のうちケース蓋体３の側壁２０に面する立壁３４にもその付け根近傍に細長い表示部材挿通孔１０１が形成される。封止ピン保持部材３３ｂも基本的な構成は第１の実施例に示したものと同一であるが、封止ピン収納枠体５５の開口部端面のうちケース蓋体３の側壁２０に面する辺は、残りの３方に比較して高さ寸法が低く形成される。また、表示部材４２ｂも第１の実施例の表示部材４２ａに比較して係合孔４４から表示領域４７ｂまでの長さが長く形成される点を除いては第１の実施例と略同一の構成を有する。
【００４６】
そして、表示部材４２ｂの操作側の一端を嵌合リブ２１に形成される表示部材挿通孔４５及び側壁２０に形成される表示部材操作孔４６に挿通し、表示領域４７ｂ側の一端を遊嵌枠部３１に形成される表示部材挿通孔１０１及び封止ピン収納枠体５５の前記切り欠きを挿通して遊嵌枠部３１内に達した状態で、弾性を利用して表示部材係合凸部４３と係合孔４４とを係合させて装着する。このような構造によれば、表示部材４２ｂは第１の実施例と同様に係合孔４４を中心に揺動するようにスライドさせることができる。ケース蓋体３の側壁２０から外部に突出する表示部材４２ｂの操作側の一端をスライドさせ、表示部材操作孔４６の内側面の一方に当接する位置（未封止位置）にスライドさせると、封止ピン収納枠体５５に達している表示領域４７ｂ側の一端は表示孔４１及び封止ピン押下孔３７を塞がず、他方に当接する位置（封止位置）にスライドさせると、表示孔４１及び封止ピン押下孔３７を塞ぐように形成される。なお、封止ピン保持部材３３をケース蓋体３の天板１９に接合する際には、あらかじめ表示部材４２ｂを未封止位置にスライドさせておく。また、表示部材４２ｂの色彩については、第１の実施例と同一の態様である。
【００４７】
このような構成を有する封止手段を用いたケース本体２とケース蓋体３の封止手順も第１の実施例と略同一である。但し、第１の実施例における表示部材４２ａが封止ピン３２の封止状態とは無関係に表示を切り替えるものであるのに対し、本実施例は、表示部材４２ｂの表示と封止状態とが連動する。すなわち図７（ａ）に示されるように、未封止の状態においては封止ピン３２の押下軸部５１の先端が封止ピン押下孔３７から外部に露出しているため表示部材４２ｂをスライドさせることができない。従って、未封止であるにも拘わらず封止状態であると表示されることはない。封止ピン３２を矢印ａの向きに押下して封止すると、図７（ｂ）に示すように押下軸部５１の先端と遊嵌枠部３１の底面（天板１９）との間に表示部材４２ｂがスライド可能な隙間が形成され表示を切り替えることができる。一旦表示を切り替えると、天板１９に形成される逆止爪１０２が表示部材４２ｂと係合して元の未封止を表示する状態に戻すことはできなくなり、表示と現実の封止状態が食い違うことがない。この場合、封止ピン３２の押下が不充分で封止ピン３２の係合頭部５３と第１スリット７１とが係合していないと、封止ピン３２の押下軸部５１と封止ピン収納枠体５５の底面との間の隙間が小さく表示部材４２ｂをスライドさせることができないため、作業ミスを防止することが可能となる。
【００４８】
なお、この実施例においては、独立した表示孔４１を形成せず、封止ピン押下孔３７を表示孔４１として用いる構成であっても良い。すなわち、表示部材４２ｂを封止ピン３２の押下軸部５１の端面と異なる着色を施しておくと、未封止位置においては押下軸部５１の頭部の色彩が現れ、封止位置においては表示部材４２ｂの着色が現れることになり、封止状態により表示態様が切り替わり、表示孔４１として機能する。
【００４９】
次いで、本発明の第３の実施例について説明する。図８（ａ）は第３の実施例における表示部材４２ｃの拡大斜視図、（ｂ）は封止ユニット１０ｃの第１構造物の外観（一部切断）斜視図、図９はその結合（一部切断）斜視図である。なお、第３の実施例も第１の実施例と表示部材４２ｃ及び表示部材４２ｃに関する構造が異なるのみであり、その他基板ケース１の構造等は同一であるため、共通する部分については説明を省略して同一の符号を付して用いる。
【００５０】
本実施例における第１封止構造物８ｃ及び第２封止構造物９ｃの構造は第１の実施例と略同一である。ただし、本実施例における第１封止構造物８ｃについては、封止板７０ｃの上面には表示部材係合凸部１１０が形成されること、封止板７０ｃの付け根近傍の側壁には貫通孔である表示部材操作孔１１２が形成されること、封止ピン３２を封止ピン収納枠体５５に収納した状態では封止ピン３２の係合頭部５３の先端が封止ピン収納枠体５５の底面から突出しないように構成される点が異なる。また第２封止構造物９ｃについては、ケース蓋体３の側壁２０に表示部材操作孔（第１の実施例の表示部材操作孔４６）が形成されないこと、嵌合リブ２１に表示部材挿通孔（第１の実施例の表示部材挿通孔４５）が形成されないことが異なる。また、封止ピン保持部材３３ｃを接合したケース蓋体３をケース本体２に接合した状態では、封止ピン収納枠体３５の底面と封止板７０ｃの上面とが当接せず隙間を形成するように構成される。この隙間は後述する表示部材４２ｃの厚さと略同一となるよう構成することが望ましい。また、ケース蓋体３の側壁２０の先端には、表示部材４２ｃとの干渉を避けるための切り欠き１１１が形成される。
【００５１】
表示部材４２ｃは弾発性を有する合成樹脂などから形成される薄肉の板状の部材であり、その中央近傍には表示部材係合凸部４３と係合する係合孔４４が形成され、一端には中心部に略方形の貫通孔が形成される封止ピン係合部１１３が形成される。封止ピン係合部１１３に形成される係合頭部挿通孔１１４は、封止ピン３２の係合頭部５３を挿通過可能な寸法形状に形成される。また、表示部材４２ｃには表示腕１１５が突設され、その先端面には表示領域４７ｃが形成される。表示領域４７ｃは赤色など、ケース本体２及びケース蓋体３とは異なる着色が施してあり、その態様は第１の実施例における表示部材４２ａと同一である。
【００５２】
そして、表示部材４２ｃの操作側の一端をケース本体２の上部側壁１７に形成される表示部材操作孔１１２に挿通し、表示部材４２ｃの係合孔４４と封止板７０ｃの表示部材係合凸部４３とを係合させる。この状態では、表示部材４２ｃは係合孔４４を支点として揺動するように表示部材操作孔１１２の内部をスライド移動することができる。表示部材４２ｃの操作側が該表示部材操作孔１１２の内壁の一端に当接する位置（未封止位置）にあると、表示領域４７ｃは表示孔４１の直下から外れた位置にあり、封止ピン係合部１１３は第１スリット７１を覆う位置にある。表示部材４２ｃの操作側を表示部材操作孔１１２の内壁の他の一端に当接する位置（封止位置）にスライドさせると、表示領域４７ｃが表示孔４１の直下に位置して表示孔４１に表示領域４７ｃの色彩が現れると共に、係合頭部挿通孔１１４と第１スリット７１の位置が一致する。
【００５３】
そしてケース蓋体３に封止ピン３２及び封止ピン保持部材３３を接合し、ケース本体２に表示部材４３ｃを係合させてケース本体２とケース蓋体３を係合させる。この場合、表示部材４２ｃは予め未封止位置にスライドさせた状態で組み付ける。この状態では表示部材４２ｃの封止ピン係合部１１３が封止板７０ｃの第１スリット７１を覆う位置にあるため、封止ピン３２を押下して封止することはできない。封止するには、まず封止に用いる封止手段の表示部材４２ｃを封止位置にスライドさせる。この操作により、係合頭部挿通孔１１４と第１スリット７１の位置が一致して封止ピン３２が押下可能になると共に、表示腕１１５の表示領域４７ｃが表示孔４１の直下に位置して端面の色彩が表れ、封止状態にあることを表示する。その後、封止ピン３２を押下して封止する。なお、封止の解除の手順は第１の実施例と同一である。
【００５４】
このような構成によれば、表示部材４２ｃを封止位置にスライドさせた後でなければ封止作業を行えないため、封止作業時に誤って封止に用いるべきでない封止ピン３２を押下することがなくなり、作業ミスを防止することができる。また一旦封止すると、封止ピン３２の係合頭部５３が表示部材４２ｃの係合頭部挿通孔１１４と係合して表示を元に戻すことはできないから、封止されているにもかかわらず封止されていないと表示することはない。なお、封止されていないにもかかわらず封止されているように表示される場合もあり得るが、この場合には、封止位置にある表示部材４２ｃを未封止位置にスライドさせることができるから、実際に封止されているか否かを容易に判別することができる。このため、点検作業時において判別を誤るといった作業ミスを防止することができる。
【００５５】
なお、本実施例は封止板７０ｃの上面に表示部材４２ｃを係合する構成を示したが、封止板７０ｃの下面に表示部材を係合する構成であっても良い。また、表示孔４１の位置も天板１９の上面に限られるものではなく、点検作業時において確認しやすい位置に表示孔４１を形成し、その表示孔４１の直下に表示部材４２ｃが切り替わる構成であればよく、例えばケース本体２の側壁面に表示孔４１を設ける構成でも良い。
【００５６】
図１０は、第４の実施例における封止ユニットの分解斜視図であり（ａ）は表示部材支持部材１２０の外観斜視図、（ｂ）は封止ピン３２ｄの外観斜視図、（ｃ）は表示部材４２ｄの外観斜視図、（ｄ）は封止ピン保持部材３３ｄの一部切断斜視図である。また図１１はその結合断面図であり、（ａ）は封止前の状態を、（ｂ）は封止後の状態を示す。第４の実施例も第１の実施例と表示部材に関する構造が異なるのみであるため、同一の構成を有する箇所については第１から第３の実施例と同一の符号を付して用い、詳細な説明は省略する。
【００５７】
第１封止構造物８ｄの構造は、第１の実施例における第１封止構造物８ａと同一である。また、第２封止構造物９ｄの構造については、第１の実施例におけると略同一であるが、第１の実施例におけるケース蓋体３の側壁２０の表示部材操作孔４６、嵌合リブ２１の表示部材挿通孔４５、天板１９の遊嵌枠部３１とケース蓋体３の側壁２０との間の表示部材係合凸部４３がいずれも形成されず、一方で天板１９の嵌合リブ２１と遊嵌枠体３１との間に表示部材支持部材１２０が、遊嵌枠部３１を形成するケース蓋体３の側壁２０側の立壁３４の中央にスリット状の切り欠きである表示部材操作溝１２５がそれぞれ形成されることが異なる。表示部材支持部材１２０は、天板１９から内側へ向かって立設される２本の腕状の突起であり、その対向する面には表示部材係合凸部１２３が形成される。なお、表示部材支持部材１２０はケース蓋体３に一体に形成されるか、別個に形成して後に接合するかは問わない。
【００５８】
封止ピン３２ｄは、第１の実施例と同形態の係合鍔部５０、押下軸部５１、係合軸部５２、係合頭部５３を備えることに加え、係合鍔部５０から軸線方向と直角方向に延設される表示部材操作腕１２４を備える。そして、封止ピン３２ｄは該表示部材操作腕１２４を含め一体に形成される。
【００５９】
封止ピン保持部材３３ｄも、第１の実施例における封止ピン保持部材３３と略同一の構成を有する。ただし、封止ピン３２ｄのケース蓋体３の側壁２０側に面する封止ピン収納枠体５５の立壁３４の中心には、端部から底面に至るまでスリット状の切り欠きである表示部材操作溝１２５が形成される。
【００６０】
表示部材４２ｄは第１の実施例に示されたものとは異なり、一部に切り欠き１２６が形成された円盤形状の部材である。円盤の中心部には表示部材支持部材１２０に形成される表示部材係合凸部１２３に回転可能に係合する係合凹部１２７が形成される。円盤の厚みは表示孔４１の径と略同一かそれ以上の寸法に形成される。また円盤の外周面には表示領域４７ｄが設けられ、それ以外の表面とでは異なる着色がなされており、例えば表示領域４７ｄは赤色で、それ以外の領域は無着色か、ケース本体２及びケース蓋体３と同系統の着色あるいは暗色系に着色されるなど、第１の実施例における表示部材４２ａの表示領域４７ａと同一の態様である。
【００６１】
そして封止ピン３２ｄを、封止ピン保持部材３３ｄの封止ピン収納枠体５５に、表示部材操作腕１２４が表示部材操作溝１２５から突出するように収納する。そして封止ピン保持部材３３をケース蓋体３の天板１９に接合する。このように組み付けると、表示部材操作腕１２４が遊嵌枠体３１に形成される表示部材操作溝１２５から突出する。そして、この突出する表示部材操作腕１２４と表示部材４２ｄの切り欠き１２６とが遊嵌するように表示部材４２ｄを表示部材支持部材１２０に係合する。この状態では、表示孔４１の直下には表示部材４２ｄの表示領域４７ｄ以外の箇所が位置しており、未封止であることを表示する。
【００６２】
このような構成を有する封止ユニット１０ｄは、封止ピン３２ｄを押下するのみで封止及び表示の切替えが行われる。封止ピン３２ｄが矢印ａの向きに押下されると、封止ピン３２ｄの表示部材操作腕１２４が、表示部材４２ｄを矢印ｂの向きに回転させる。表示部材４２ｄが回転すると、図１１（ｂ）に示すように表示領域４７ｄが表示孔４１の直下に位置して表示孔４１には表示領域４７ｄが現れて封止前と封止後で変化し、封止が行われたことを確認できる。
【００６３】
なお、表示部材４２ｄは封止ピン３２に形成される表示部材操作腕１２４の動きによってのみ回転し、外部からは回転させることができない。未封止の状態においては、表示部材操作腕１２４の先端が、表示部材４２ｄの矢印ｂの方向への回転を禁止して表示領域４７ｄが表示孔４１の直下に現れることはない。そして封止後においても表示部材操作腕１２４の先端が、表示部材４２ｄの矢印ｂと反対方向への回転を禁止して表示領域４７ｄが表示孔４１の直下から外れて未封止状態にあると表示することもない。このように確実に封止状態を判別することができて点検作業時における作業効率の向上を図ることができるとともに、不正な開封の発見を容易かつ確実に行うことができるようになる。
【００６４】
次いで本発明の第５の実施例について説明する。図１２は第５の実施例における封止ユニット１０ｅの分解斜視図であり、図１３はその結合（一部切断）斜視図である。第１から第５の実施例が機械的な構造により封止状態を表示する表示部材を備えるのに対して、本実施例は電気的な表示方法を備える。なお、機械的な構造は第１の実施例と表示部材に関する構造が異なるのみであり、共通の構成を有する部分については同一の符号を付して用い説明は省略する。
【００６５】
第１封止構造物８ｅは、第１の実施例に示した構造と略同一の構造を有する。但し、封止板７０ｅの上面には円筒状の表示部材固定腕１４０が延設されること、封止板７０ｅの下面側にはスイッチ保持部１４１が形成されることが異なる。尚、スイッチ保持部１４１はケース本体２と必ずしも一体に形成されるものである必要はなく、別途形成して装着するものであっても良い。第２封止構造物９ｅも第１の実施例で示した構造と略同一であるが、ケース蓋体３の側壁２０の表示部材操作孔４６、嵌合リブ２１の表示部材挿通孔４５、遊嵌枠部３１とケース蓋体３の側壁２０との間の表示部材係合凸部４３、表示部材４２ａとの干渉を避けるためのケース本体２の上部側壁１７の端面の切り欠き１１７が、いずれも形成されないことが異なる。
【００６６】
そしてスイッチ保持部１４１には回路の開閉を切り替える押しボタン式スイッチ１４２が配設される。また表示部材４２ｅであるＬＥＤが表示部材固定腕１４０の先端に配設される。そしてＬＥＤ（表示部材４２ｅ）の点灯は前記押しボタン式スイッチ１４２により操作され、ボタンを押した状態で回路が閉じてＬＥＤ（表示部材４２ｅ）が点灯し封止状態にあることを示すように構成される。
【００６７】
このような構成を有する封止手段を用いてケース本体２とケース蓋体３とを封止し、封止状態にあるように表示を切り替えるのは、封止ピン３２を押下する操作のみでよい。が押下されることにより封止されると共に、封止ピン３２の係合頭部５３が押しボタン式スイッチ１４２を押下し、回路を閉じてＬＥＤ（表示部材４２ｅ）を点灯させる。かかる構成によれば、いずれの封止手段により封止されているかが確実に判別することができ、点検作業の作業効率を向上させることができると共に、不正な開封の発見が容易となる。
【００６８】
なお、本実施例においてはＬＥＤを用いているが、発光部材としてＬＥＤに限られる必要はない。また、未使用の状態でＬＥＤが点灯している状態とし、封止して使用済みとなった状態で消灯するようにしても良い。更に、異なる色彩のＬＥＤを組み合わせ、封止状態と未使用状態で発光するＬＥＤを切り替えることにより未使用と使用済みの状態を判別する構成であっても良い。なお、ＬＥＤの配設する場所は封止ピン操作孔近傍に限られるものではなく、点検のしやすい箇所に配設するものであれば良い。
【００６９】
次いで、第６の実施例について説明する。第１から第５の実施例は基板ケース１を構成するケース本体２とケース蓋体３とを封止する封止手段に適用される実施例であるのに対し、本実施例は基板ケース１を遊技機２００の本体との封止に適用する例である。図１４は、本実施例に係る遊技機２００本体と基板ケース１の分解斜視図、図１５はその分解斜視図である。
【００７０】
遊技機２００に備えられる制御基板７に対する不正行為を防止するため、基板ケース１のケース本体２とケース蓋体３とを封止する構造は多種開発されている。そしてこれらの封止構造により、基板ケース１内の制御基板７に対する不正行為を防止している。しかしながら、制御基板７を基板ケース１ごと遊技機２００の本体から取り外し、別途用意した基板ケースに不正を施した制御基板を収納して遊技機に取り付けるなどといった不正行為も行われている。このような不正行為には、基板ケース１のケース本体２とケース蓋体３を封止しても無意味であり、基板ケース１の取替えをも確認できる手段が必要である。
【００７１】
本実施例はこのような不正行為に対する封止手段に適用するものであり、基板ケース１と遊技機２００の本体の係合部に封止手段を用い、該封止手段に封止状態を表示する表示部材からなる表示手段を適用することにより、基板ケース１の点検時において、点検の効率を上げることができるものである。
【００７２】
図に示すように、第１封止構造物８ｆは、略「コ」の字状の断面を有する部材であり、第１、第２スリット７１、７２、７２が形成される封止板７０ｆを備える。接合部の接合方法として、ネジや接着剤などを適用することができる。第２封止構造物９ｆは基板ケース１に配設され、一側辺に突設される。本実施例における封止ユニット１０ｆの構成は、前記第１から第５の実施例で示した構成の何れを適用しても良い。なお、基板ケース１の不正な取り外しを防止するため、基板ケース１を装着した際には第１封止構造物８ｆは基板ケース１に完全覆われるように構成される。
【００７３】
そして、封止及び表示の切替え操作は、前記第１から第５の各実施例に示した操作と同一である。このように基板ケース１と遊技機２００の本体との間の表示態様を切り替えることができる封止ユニット１０ｆを備えることにより、いずれの封止手段により封止されているかの判別が容易となり、点検作業の効率を向上させることができると共に、基板ケースの不正な取り外しを防止することができる。
【００７４】
なお、上記実施例においては、遊技機の主制御基板の基板ケースに適用する例を示したが、これに限られることはなく、遊技機の有する他の回路基板の基板ケースや、基板ケースに限らず開封や取り外しを規制したい構造物に適用できる。
【００７５】
【発明の効果】
請求項１に係る発明によれば、制御基板が装着された基板ケースのケース本体とケース蓋体とが、封止ユニットに封止部材が係合されて一体的に封止されたときに、その封止ユニットの表示形態が変わるため、その表示形態から封止状態の確認が容易かつ確実に行われ、遊技機の点検作業の効率を上げることができ、また、不正行為が行われたときにもその表示形態の変化によりその発見が容易となる。
【００７６】
請求項２に係る発明によれば、基板ケースがそっくり遊技機本体から取り外されたときにも、その不正が表示形態の変化により容易に発見できる。
【００７７】
請求項３及び請求項４に係る発明によれば、封止状態の表示態様が機械的又は電気的に切り替わるものであるため、封止状態を確実に判別できると共に、点検作業者が記録する記録用紙と表示態様とが一致するか否かを確認することにより、より確実に不正な開封を発見することができ、また、不正な開封の抑止ともなる。
【００７８】
請求項５に係る発明によれば、表示態様が前記封止手段の封止する動作に連動して表示態様が切り替わるため、現実の封止状態と表示態様が食い違うことがなく、封止状態を確実に判別することができ、不正な開封の発見が容易となり、また不正な開封を抑止することができる。
【００７９】
請求項６に係る発明によれば、基板ケースがケース本体とケース蓋体からなるか否かにかかわらず、例えばケース本体のみからなりケース蓋体を備えないような基板ケースなどについても、基板ケースがそっくり遊技機本体から取り外されたときにも、その不正が表示形態の変化により容易に発見できる。
【図面の簡単な説明】
【図１】パチンコ機の裏側の外観斜視図である。
【図２】基板ケースの分解斜視図である。
【図３】基板ケースの外観斜視図である。
【図４】第１の実施例における封止ユニットを一部切断した分解斜視図である。
【図５】第１の実施例における封止ユニットを一部切断した結合斜視図である。
【図６】第２の実施例における封止ユニットを一部切断した分解斜視図である。
【図７】第２の実施例における封止ユニットの断面図であり、（ａ）は封止前の状態を、（ｂ）は封止後の状態を示す。
【図８】第３の実施例における封止ユニットを一部切断した分解斜視図である。
【図９】第３の実施例における封止ユニットを一部切断した結合斜視図である。
【図１０】第４の実施例における表示部材支持部材、表示部材、封止ピン、封止ピン収納部材の外観（一部切断）斜視図ある。
【図１１】第４の実施例における封止ユニットの結合断面図であり、（ａ）は封止前の状態を、（ｂ）は封止後の状態を示す。
【図１２】第５の実施例における封止ユニットを一部切断した分解斜視図である。
【図１３】第５の実施例における封止ユニットを一部切断した結合斜視図である。
【図１４】第６の実施例における遊技盤裏面の分解斜視図である。
【図１５】第６の実施例における遊技盤裏面の結合斜視図である。
【符号の説明】
１  基板ケース
２  ケース本体
３  ケース蓋体
２０  ケース本体の側壁
２１  嵌合リブ
２６  嵌合溝
３１  遊嵌枠体
３２  封止ピン
３３  封止ピン保持部材
３４  遊嵌枠体を形成する立壁
３８  開封開口部
４１  表示孔
４２ａ  表示部材
４３  表示部材係合凸部
４５  表示部材挿通孔
４６  表示部材操作孔
５５  封止ピン保持部材の接合部
５６  封止ピン保持部材の封止ピン収納枠体
６３  係合鍔部係止突起
【図１】
2004275418.tif 000003
【図２】
2004275418.tif 000004
【図３】
2004275418.tif 000005
【図４】
2004275418.tif 000006
【図５】
2004275418.tif 000007
【図６】
2004275418.tif 000008
【図７】
2004275418.tif 000009
【図８】
2004275418.tif 000010
【図９】
2004275418.tif 000011
【図１０】
2004275418.tif 000012
【図１１】
2004275418.tif 000013
【図１２】
2004275418.tif 000014
【図１３】
2004275418.tif 000015
【図１４】
2004275418.tif 000016
【図１５】
2004275418.tif 000017